(57)【要約】【課題】  生体情報を登録する際に本人以外の生体情報が不正登録されることを防止できる生体情報登録装置を提案する。【解決手段】  生体情報登録装置に、利用者から生体情報を取得する生体情報取得手段と、取得した生体情報を登録する生体情報登録手段と、前記生体情報として登録する生体部位に関連する関連情報を取得する関連情報取得手段と、前記生体情報の取得が適正に実行されたか否かを前記関連情報に基づいて判定する適否判定手段とを備えた。【選択図】    図１
2006309562.tif 000002
【特許請求の範囲】
【請求項１】
利用者から生体情報を取得する生体情報取得手段と、
取得した生体情報を登録する生体情報登録手段と、
前記生体情報として登録する生体部位に関連する関連情報を取得する関連情報取得手段と、
前記生体情報の取得が適正に実行されたか否かを前記関連情報に基づいて判定する適否判定手段とを備えた
生体情報登録装置。
【請求項２】
前記生体情報を、指または手に関する生体情報により構成し、
前記関連情報取得手段を、前記指または手を含めて利用者を撮影する撮影手段で構成し、
前記適否判定手段を、
前記撮影手段で取得した撮影画像に不自然な要素がないか判定する不自然判定手段で構成した
請求項１記載の生体情報登録装置。
【請求項３】
前記撮影手段を、
利用者の指または手を含めて撮影して手元撮影画像を取得する手元撮影手段と、
利用者の顔面を含めて撮影して顔面撮影画像を取得する顔面撮影手段とで構成すると共に、
前記手元撮影画像と前記顔面撮影画像とが一人の利用者を撮影した撮影画像として連続するように前記手元撮影手段及び前記顔面撮影手段を配設し、
前記不自然判定手段を、
前記手元撮影画像と前記顔面撮影画像との連続部に不自然な要素がないか判定する構成にした
請求項２記載の生体情報登録装置。
【請求項４】
前記撮影手段を、
利用者の指または手を含めて撮影して手元撮影画像を取得する手元撮影手段と、
利用者の顔面を含めて撮影して顔面撮影画像を取得する顔面撮影手段とで構成すると共に、
前記手元撮影画像と前記顔面撮影画像とが一人の利用者を撮影した撮影画像として連続するように前記手元撮影手段及び前記顔面撮影手段を配設し、
前記不自然判定手段を、
前記手元撮影画像の腕の方向と前記顔面撮影画像の腕の方向とが一致するか否かにより判定する構成にした
請求項２記載の生体情報登録装置。
【請求項５】
前記不自然判定手段を、
前記撮影画像における利用者の背景に異常があるか否かにより判定する構成にした
請求項２記載の生体情報登録装置。
【発明の詳細な説明】
【技術分野】
【０００１】
この発明は、例えば指静脈、指紋、手のひら静脈、掌紋、または筆跡などの生体情報を登録するような生体情報登録装置に関する。
【背景技術】
【０００２】
従来、指静脈、指紋、手のひら静脈、掌紋、筆跡、網膜、虹彩、または顔面といったように、様々な生体情報によって本人認証を行う装置が提案されている。このような本人認証に用いられる生体情報は、係員のいる窓口にて登録されるのが一般的である。
【０００３】
この登録の際、窓口担当者は、生体情報を登録する人物に免許証、パスポートまたは外国人登録証等を提出させ、これを確認することで本人であることを確認している。そして、本人であることが確認できれば、窓口担当者は、登録する本人に登録装置を使用させて登録処理を実施させている。
【０００４】
しかし、このような窓口業務は、処理の簡略化から減少する傾向が強く、また２４時間対応が困難であるという問題点がある。このことから、窓口にて担当者が対応するのではなく、端末機器を使用して無人で登録処理を実現することが望まれている。
【０００５】
一方、このような無人での登録処理を実施すると、他人による成りすまし登録が問題となる。この成りすまし登録を排除する方法として、登録前と登録時とで登録者の顔面を撮影し、この２つの撮影画像の人物が同一人物であるか否かを判定することで、他人による成りすまし登録を排除する生体情報登録装置が提案されている。
【０００６】
しかし、この同一人物か否かの判定は、単に顔面画像によって判断するものであるため、登録すべき生体情報が本人のものであるか否かを判定するための確実性に欠ける部分があった。詳述すると、例えば指や手等の生体情報を登録する際には、この指や手は、顔面と離れた位置にある。このため、例えば指や手だけ他人のものや模造品を使用して生体登録がなされても、上述した生体情報登録装置は、顔面画像が一致する以上は本人であると判定してしまう問題点があった。
（特許文献１参照）。
【０００７】
【特許文献１】特開２００３−２０８４０７号公報
【発明の開示】
【発明が解決しようとする課題】
【０００８】
この発明は、上述の問題に鑑み、生体情報を登録する際に本人以外の生体情報が不正登録されることを防止できる生体情報登録装置を提案することを目的とする。
【課題を解決するための手段】
【０００９】
この発明は、利用者から生体情報を取得する生体情報取得手段と、取得した生体情報を登録する生体情報登録手段と、前記生体情報として登録する生体部位に関連する関連情報を取得する関連情報取得手段と、前記生体情報の取得が適正に実行されたか否かを前記関連情報に基づいて判定する適否判定手段とを備えた生体情報登録装置であることを特徴とする。
【００１０】
前記関連情報は、生体部位が指または手であれば該指または手から利用者の顔面までを撮影した撮影画像情報で構成する、生体部位が声紋など音声を発する口であれば該音声が発声された方向を示す発声方向情報とこの利用者の口の位置を示す撮影画像情報とで構成する、生体部位が声紋など音声を発する口であれば該音声を発声している利用者の口の動きを示す口動作情報と音声認識による音声認識情報とで構成する、あるいは生体部位の周囲に他人が存在しないか確認するための撮影画像情報で構成するなど、生体部位に関連する情報で構成することができる。
【００１１】
前記関連情報取得手段は、撮影を行う撮影装置、利用者の発声方向を取得するマイクロフォンアレー等の発声方向取得装置、発声する利用者の映像を取得してこの利用者の口の動きを取得する口動作取得装置、利用者が発声した音声を認識する音声認識装置、またはこれらの複数の組み合わせで構成することができる。
【００１２】
この発明の態様として、前記生体情報を、指または手に関する生体情報により構成し、前記関連情報取得手段を、前記指または手を含めて利用者を撮影する撮影手段で構成し、前記適否判定手段を、前記撮影手段で取得した撮影画像に不自然な要素がないか判定する不自然判定手段で構成することができる。
【００１３】
またこの発明の態様として、前記撮影手段を、利用者の指または手を含めて撮影して手元撮影画像を取得する手元撮影手段と、利用者の顔面を含めて撮影して顔面撮影画像を取得する顔面撮影手段とで構成すると共に、前記手元撮影画像と前記顔面撮影画像とが一人の利用者を撮影した撮影画像として連続するように前記手元撮影手段及び前記顔面撮影手段を配設し、前記不自然判定手段を、前記手元撮影画像と前記顔面撮影画像との連続部に不自然な要素がないか判定する構成にすることができる。
【００１４】
またこの発明の態様として、前記撮影手段を、利用者の指または手を含めて撮影して手元撮影画像を取得する手元撮影手段と、利用者の顔面を含めて撮影して顔面撮影画像を取得する顔面撮影手段とで構成すると共に、前記手元撮影画像と前記顔面撮影画像とが一人の利用者を撮影した撮影画像として連続するように前記手元撮影手段及び前記顔面撮影手段を配設し、前記不自然判定手段を、前記手元撮影画像の腕の方向と前記顔面撮影画像の腕の方向とが一致するか否かにより判定する構成にすることができる。
【００１５】
またこの発明の態様として、前記不自然判定手段を、前記撮影画像における利用者の背景に異常があるか否かにより判定する構成にすることができる。  
前記異常があるか否かは、利用者以外の他人が写っているか否か、背景となる風景、建造物及びそれらの色あいが前記手元撮影画像と前記顔面撮影画像とで同一か否か、またはこれらの両方等、通常写るべきものが写っているか否かにより判定することができる。
【発明の効果】
【００１６】
この発明により、生体情報を登録する際に本人以外の生体情報が不正登録されることを防止できる。
【発明を実施するための最良の形態】
【００１７】
この発明の一実施形態を以下図面と共に説明する。  
図１は、利用者の生体情報を登録する登録端末１０の斜視図を示し、図２は、この登録端末１０が通信回線２を介して接続されている生体登録管理システム１のブロック図を示す。
【００１８】
生体登録管理システム１は、図２に示すように、通信回線２に接続されたホストコンピュータ３、管理端末４、及び登録端末１０により構成されている。このホストコンピュータ３、管理端末４、及び登録端末１０は、通信回線２を介して相互にデータ通信することができる。
【００１９】
前記登録端末１０は、図１に示すように、上部前面に液晶モニタ等で構成される表示部１１、この表示部１１に重ねて設けられるタッチパネル等で構成される入力部１２、及びＣＣＤカメラ等で構成される顔面撮影カメラ１７と手元撮影カメラ１８が設けられている。また、登録端末１０が設置された施設の天井に、登録端末１０の前方全体を撮影する全体撮影カメラ１９が設けられている。
【００２０】
ここで、顔面撮影カメラ１７は、利用者の顔面から利用者の腹部あたり（特に腕部の肘あたり）までが撮影できるように、普通人の身長程度の高さ位置に、撮影方向を正面より少し斜め下方へ向けて配設されている。  
また、手元撮影カメラ１８は、利用者の手元から肘あたり（腹部あたり）までが撮影できるように、普通人の腹部から胸の間程度の高さ位置で、撮影方向を正面より少し下方へ向けて配設されている。  
そして、全体撮影カメラ１９は、利用者の全身とその周囲が撮影できるように、撮影方向を下方へ向けて天井に配設されている。
【００２１】
また、登録端末１０の中央前面には、ＩＣカードや磁気カードなどのＩＤカードを処理するカード機構１４、及び利用者の生体情報として指静脈を読み取る指静脈リーダ１６が設けられている。  
登録端末１０の内部には、免許証などの書類を読み取る書類リーダ１３が設けられている。
【００２２】
図２に示すように、登録端末１０には、主制御部２１が設けられており、この主制御部２１に前述した表示部１１、入力部１２、カード機構１４、指静脈リーダ１６、顔面撮影カメラ１７、手元撮影カメラ１８、及び全体撮影カメラ１９が電気的に接続されている。
【００２３】
主制御部２１は、ＣＰＵ２２、メモリ２３、記憶部２４、及び通信部２５により構成されており、ＣＰＵ２２が、メモリ２３をワークエリアとして利用して、記憶部２４に記憶されたデータ（情報）やプログラムに従って各機構（１１〜１９）を駆動制御し、通信部２５によって、通信回線２を介したデータ通信を実行する。プログラムに従った動作としては、利用者の生体情報の取得と、この生体情報として登録する生体部位に関連する関連情報の取得も実行する。
【００２４】
前記表示部１１は、液晶モニタやＣＲＴモニタなど、文字や画像を表示できる装置により構成されており、利用者に対しての操作案内などを表示するものである。
【００２５】
前記入力部１２は、前記表示部１１に重ねて設けられたタッチパネルや押下ボタンなど、利用者による操作入力を許容する装置で構成されており、利用者に操作入力された入力信号を主制御部２１に送信するものである。
【００２６】
前記書類リーダ１３は、本人確認書類を読み取るスキャナで構成されている。この本人確認書類としては、例えば免許証などが該当する。免許証のように顔面写真が掲載されている書類に対しては、書類リーダ１３が顔面画像をスキャニングする。これにより、主制御部２１が、書類リーダ１３でスキャニングした顔面画像と、顔面撮影カメラ１７で撮影する利用者の顔面とを顔面認証プログラムで比較・認証して、ＩＤカードの所有者本人か否かを判定できるようにしている。
【００２７】
前記カード機構１４は、ＩＣカードに対しての読み書き処理を行うＩＣカードリーダライタや、磁気カードに対しての読み書き処理を行う磁気カードリーダライタなど、ＩＤカード（ＩＣカードや磁気カードなど）に対する読み書き処理を実行するＩＤカードリードライト部と、ＩＤカードを新規発行するためのＩＤカード発行機構とによって構成されている。
【００２８】
前記指静脈リーダ１６は、利用者の指から指静脈情報を取得し、取得した指静脈情報を主制御部２１に送信するものである。なお、本実施の形態では指静脈リーダ１６を採用したが、生体情報取得装置であればこれに限られるものではなく、指紋情報を取得する指紋リーダ、手のひら静脈情報を取得する手のひら静脈リーダ、掌紋情報を取得する掌紋リーダ、または、筆跡情報を取得する筆跡リーダなど、手や指に関連する生体情報を取得する装置で構成してもよい。またその他にも、網膜情報を取得する網膜リーダ、虹彩情報を取得する虹彩リーダ、または顔面画像情報を取得する顔面画像リーダなど、手や指以外の生体情報を取得する装置で構成してもよい
前記顔面撮影カメラ１７、前記手元撮影カメラ１８、及び前記全体撮影カメラ１９は、いずれもＣＣＤカメラやＣＭＯＳカメラなどの撮影画像を取得できるカメラで構成されており、取得した撮影画像情報を主制御部２１に送信するものである。
【００２９】
ここで、各カメラ１７〜１９で撮影する撮影画像について説明する。  
図３（Ａ）は、顔面撮影カメラ１７で撮影した上半身撮影画像３１の画像イメージ図を示しており、この上半身撮影画像３１には、利用者Ｍの顔面部Ｆａと胴部Ｂの上部と腕部Ａの一部（肩から少なくとも肘あたりまで）とが画角内に収まるように写されている。
【００３０】
図３（Ｂ）は、手元撮影カメラ１８で撮影した手元撮影画像３３の画像イメージ図を示しており、この手元撮影画像３３には、利用者Ｍの腕部Ａの一部（指若しくは手から少なくとも肘あたりまで）と手部Ｈと指部Ｆｉとが画角内に収まるように写されている。
【００３１】
図４（Ｃ）は、全体撮影カメラ１９で撮影した全体撮影画像３５の画像イメージ図を示しており、この全体撮影画像３５には、利用者Ｍの胴部Ｂ、腕部Ａ、手部Ｈ、及び指部Ｆｉが画角内に収まるように写されている。また、登録端末１０の指静脈リーダ１６や床面等も写されている。
【００３２】
図４（Ｄ）は、利用者Ｍが存在しない状態で事前に全体撮影カメラ１９で撮影した全体背景画像３７の画像イメージ図を示しており、登録端末１０の指静脈リーダ１６や床面等が写されている。
【００３３】
図２に示した前記ホストコンピュータ３は、事務センタに設置されており、主制御部、記憶部、表示部、及び入力部を有するサーバコンピュータによって構成され、各種情報を総合的に管理するものである。  
前記管理端末４は、主制御部や記憶部や表示部や入力部を有するパーソナルコンピュータによって構成され、オペレータによる各種操作を許容するものである。
【００３４】
以上の構成により、登録端末１０は、利用者の生体情報として指静脈情報を取得することができ、また関連情報として上半身撮影画像３１、手元撮影画像３３、および全身撮影画像４１を取得することができる。そして、生体登録管理システム１によって利用者の管理を行うことができる。
【００３５】
次に、登録端末１０の主制御部２１が実行する生体情報登録処理について説明する。  
図５及び図６は、登録端末１０の主制御部２１の動作を示すフローチャートである。
【００３６】
まず、主制御部２１は、利用者が来客する前に事前に全体撮影カメラ１９による撮影を行い、全体撮影画像３５を取得しておく（ステップｎ１）。  
来客があると、主制御部２１は、表示部１１に図示省略する取引選択画面を表示して、利用者に入力部１２で取引種別を選択させる（ステップｎ２）。
【００３７】
主制御部２１は、取引種別として生体情報登録が選択されると、表示部１１に図示省略するＩＤカード挿入案内画面を表示して、利用者にＩＤカードをカード機構１４へ挿入するように促す（ステップｎ３）。  
ＩＤカードが挿入されると、主制御部２１は、表示部１１に図示省略するＩＤ番号入力案内画面を表示して、利用者に入力部１２でＩＤ番号を入力させる（ステップｎ４）。
【００３８】
主制御部２１は、入力されたＩＤ番号が挿入されたＩＤカードに記憶されているＩＤ番号と一致するか否か認証する（ステップｎ５）。なお、ＩＤカードに記憶されているＩＤ番号に限らず、例えば、ＩＤカードと対応づけられて事務センタ側に記憶されているＩＤ番号により認証するなど、他の認証方法を採用してもよい。  
認証ＯＫであれば（ステップｎ５：Ｙｅｓ）、表示部１１に図示省略する本人確認書類セット案内画面を表示して、利用者に本人確認書類をセットさせる（ステップｎ６）。
【００３９】
主制御部２１は、書類リーダ１３によって本人確認書類をスキャニングし、本人確認書類に含まれている顔面画像を取得する（ステップｎ７）。なお、このとき本人確認書類が本物であるか否かを判定することが好ましい。この判定を行えば、例えば他人の免許証とその他人の実物大顔面写真を用いたような成りすまし登録を防止でき、本人の生体情報を登録させる確実性をより高めることができる。
【００４０】
主制御部２１は、利用者に生体情報登録する指を選択させ（ステップｎ８）、指静脈リーダ１６にその指をセットさせる（ステップｎ９）。
【００４１】
主制御部２１は、図示省略する読取スイッチが利用者に押下された押下信号を受け（ステップｎ１０）、生体情報登録時情報を取得する（ステップｎ１１）。
【００４２】
このときの生体情報登録時情報は、指静脈リーダ１６により読み取る指静脈情報と、顔面撮影カメラ１７で取得する上半身撮影画像３１の情報と、手元撮影カメラ１８で取得する手元撮影画像３３の情報と、全体撮影カメラ１９で取得する全体撮影画像３５の情報とで構成される。なお、生体情報登録時情報の各情報は、同期を取って全て同時に取得することが好ましいが、それぞれ順番に取得する、もしくはランダムな順番で取得するなど、一連の動作として個々に取得する構成にしてもよい。
【００４３】
主制御部２１は、ステップｎ７で取得した本人確認書類の顔面画像と、ステップｎ１１で取得した上半身撮影画像３１の顔面画像とを照合する（ステップｎ１２）。この照合は、例えば顔面画像から特徴点を抽出し、この特徴点の差が一定の閾値の範囲内にあるか否か照合し、この範囲内にあれば同一人物と認証する等の方法によって行う。
【００４４】
照合結果が同一人物であれば（ステップｎ１３：Ｙｅｓ）、来客前の全身背景画像４３と全身撮影画像４１との差分から利用者の輪郭を抽出する（ステップｎ１４）。
【００４５】
主制御部２１は、不自然な要素がないかの判定として、利用者が一人であるか否かの判定を行う（ステップｎ１５）。この判定は、抽出した利用者の輪郭が、生体登録の際に通常の人物が取っているポーズであると認識できる範囲内か否かを、予め用意した通常輪郭画像と画像マッチングすることにより判定する。これにより、複数人で不正登録が行われるような行為を防止している。
【００４６】
画像マッチングの結果、利用者が一人であると判定すれば（ステップｎ１５：Ｙｅｓ）、主制御部２１は、図７の画像イメージ図に示すように、別々のカメラで同期をとって撮影された上半身撮影画像３１と手元撮影画像３３とを連結した連結画像４０を作成する（ステップｎ１６）。この連結画像４０は、上半身撮影画像３１と手元撮影画像３３とに写っている各腕部Ａが、通常に生体情報の登録を行えば繋がるように予めテストによって割り出した位置に、上半身撮影画像３１と手元撮影画像３３とを配置することで作成する。
【００４７】
主制御部２１は、不自然な要素がないかの判定として、連結画像４０における腕部Ａの連結部周囲Ｘに不連続点がないか判定する（ステップｎ１７）。このときの連結部周囲Ｘは、生体登録を行う指部Ｆｉ側の腕部Ａについて、不連続点の有無を判定するために設定されており、生体登録する指部Ｆｉから本人認証を行う顔面部Ｆａまでに不自然な点がなく、一人の利用者が正規に登録を行っていることを確認するためのものである。
【００４８】
そして、この不連続点の有無は、腕部Ａの輪郭の連結ズレが一定の閾値の範囲内に収まっているか否かと、その連結部周囲Ｘの上下の色合いが一定の閾値の範囲内に収まっているか否か（つまり服の色が同じであるか否か）とのいずれか一方、または両方によって判定する。
【００４９】
なお、この実施形態では、不連続点の有無によって指部Ｆｉから顔面部Ｆａまでの連続性を判定しているが、例えば手元撮影画像３３における登録側の腕部Ａの方向ベクトルと、上半身撮影画像３１における登録側の腕部Ａの方向ベクトルとが一定の閾値の範囲内にあるか否かによって判定するなど、他の方法によって連続性を判定してもよい。
【００５０】
不連続点なしと判定した場合（ステップｎ１７：Ｙｅｓ）、主制御部２１は、指静脈情報の再確認が行われたか否か、つまり、ステップｎ９〜ｎ１８の処理の実行回数が二回目であるか否かを判定する（ステップｎ１８）。
【００５１】
再確認がまだ行われていなければ（ステップｎ１８：Ｙｅｓ）、主制御部２１は、ステップｎ３で挿入されたＩＤカードに前記ステップｎ１１で取得した指静脈情報を記憶させて登録する（ステップｎ１９）。
【００５２】
主制御部２１は、表示部１１に図示省略する再確認案内画面を表示し、「登録データを照合します、指を一度離して、再セットして下さい。」と利用者に案内し（ステップｎ２０）、ステップｎ９に処理を戻す。このとき、指を一度離させることで、登録時の指の角度や置き位置がたまたま普通に指を置く場合の角度や置き位置と異なった場合に、そのまま登録されることを防止している。
【００５３】
前記ステップｎ１８で、すでに再確認が行われていれば（ステップｎ１８：Ｙｅｓ）、主制御部２１は、表示部１１に図示省略する登録終了案内画面を表示し、「登録終了しました。カードをお受け取りください」と利用者に案内する（ステップｎ２１）。
【００５４】
そして、主制御部２１は、指静脈情報を記憶させたＩＤカードを発行し（ステップｎ２２）、処理を終了する。
【００５５】
前記ステップｎ５でＩＤ番号の認証がＮＧであった場合や（ステップｎ５：Ｎｏ）、前記ステップｎ１３で顔面照合の結果が同一人物でなかった場合（ステップｎ１３：Ｎｏ）、また前記ステップｎ１５で利用者以外の人物などが写っていた場合や（ステップｎ１５：Ｎｏ）、前記ステップｎ１７で不連続点があった場合は（ステップｎ１７：Ｎｏ）、主制御部２１はＩＤカードを返却する（ステップ２３）。そして、主制御部２１は、表示部１１に図示省略する取扱い不可案内画面を表示し、「お取扱いできません」と利用者に案内して（ステップｎ２４）、処理を終了する。
【００５６】
以上の動作により、利用者は登録端末１０でＩＤカードに自己の指静脈情報を生体情報として登録することができ、この際に店員による案内を不要として無人接客による生体情報登録を行うことができる。  
そして、単に生体情報を登録するのではなく、生体情報として登録する生体部位に関連する関連情報による判定として、利用者が一人であるか否かの判定（ステップｎ１５）、及び、生体情報として登録する指部Ｆｉから本人確認する顔面部Ｆａまでの連続性の判定（ステップｎ１７）を行うため、他人による成りすまし登録などの不正登録を防止することができる。
【００５７】
詳述すると、ステップｎ１５では、登録処理をする利用者以外に登録端末１０の近くに他人がいないことや不審物がないことを検出することで、例えば二人が協力して顔面と指とを別人のもので登録するような不正登録を防止できる。またステップｎ１７では、連続性を判定することで、本人が他人の指部Ｆｉや模造品を利用して登録することを防止できる。
【００５８】
また、顔面画像による本人認証（ステップｎ１３）も実行し、この本人認証に使用する顔面部Ｆａと、生体情報として登録する生体部位である指部Ｆｉとの連続性を、ステップｎ１７で判定しているため、登録対象の生体部位（指部Ｆｉ）が本人のものであることを確実に確認することができる。
【００５９】
また、一連の生体情報登録の中でステップｎ９〜ｎ１８を二回繰り返して再確認することで、本人の生体情報を間違いなく登録する確実性を高めることができる。
【００６０】
なお、指部Ｆｉから顔面部Ｆａまでの連続性は、手元撮影画像３３と上半身撮影画像３１とを連結することで判定したが、利用者の全身、特に顔面部Ｆａから登録する指部Ｆｉまでを撮影して、この全身画像によって連続性を判定する構成にしてもよい。
【００６１】
この場合、手元撮影カメラ１８の代わりに、図１、図２に仮想線で示したように、人物撮影カメラ２０を備えればよい。この人物撮影カメラ２０は、利用者の全身が撮影できるように、広角レンズを設け、普通人の身長より高い高さ位置で、撮影方向を正面斜め下方に向けて配設するとよい。
【００６２】
この人物撮影カメラ２０による撮影画像は、図８の画像イメージ図に示すように、全身撮影画像４１として、利用者Ｍの顔面部Ｆａ、胴部Ｂ、腕部Ａ、手部Ｈ、指部Ｆｉ、及び足部Ｌの上部が画角内に収まるように写す構成にすればよい。
【００６３】
この場合でも、指部Ｆｉから顔面部Ｆａまでの連続性を判定することができ、登録対象の生体部位（指部Ｆｉ）が本人のものであることを確認でき、他人による成りすまし登録などの不正登録を排除することができる。
【００６４】
また、ステップｎ１５，ｎ１７の二段階で登録対象の生体部位（指部Ｆｉ）から本人確認の生体部位（顔面部Ｆａ）までの不連続や他人（第三者）の存在といった不自然な点のないことを確認したが、いずれか一方のみで不自然な点がないことを確認する構成にしてもよい。この場合でも不正登録を防止することができ、またコストダウンを図ることができる。
【００６５】
また、登録端末１０には様々なタイプの装置を採用することができる。従って、例えば、図９の斜視図に示すように、ＡＴＭ７０に、書類リーダ１３、カード機構１４、指静脈リーダ１６、手元撮影カメラ１８、及び人物撮影カメラ２０を備えて登録端末にしてもよい。
【００６６】
また、各カメラ１７〜２０の画角内に入らないように荷物置き部を設け、撮影画像に利用者の荷物が写らないようにしてもよい。この場合は、利用者の荷物によって画像処理で取得する利用者の輪郭に変化が現れることを防止でき、正常登録であると認識できる精度を向上できる。
【００６７】
また、本実施の形態では静止画によって判別したが、動画を取得してその動作の連続性によって確認する構成にしてもよい。この場合は、例えば、利用者が指で入力部１２を操作して指静脈リーダ１６に指部Ｆｉを置く一連の動作を取得し、このときの指部Ｆｉの動作に不自然な点がないか、すなわち入力部１２を操作していた指部Ｆｉと異なるものが突然指静脈リーダ１６に置かれたりしていないかを判定する構成にすればよい。
【００６８】
また、ＩＤカードは利用者が所有するものを挿入させる構成にしたが、新規発行する構成にしてもよく、また、新規発行処理とＩＤカードへの生体情報登録処理の両処理を選択的に実行できる構成にしてもよい。
【００６９】
また、本実施の形態では右手の指（登録生体部位）を登録させているが、登録時の左手の位置を固定するために、図１に仮想線で示すように、登録端末１０に左手置き場５１を設け、ステップｎ９の際に左手（登録生体部位と逆側の生体部位）を左手置き場５１に置くように案内する構成にしてもよい。これにより、画像処理によって取得できる利用者の輪郭形状を安定させることができ、不正登録防止の精度をより向上できる。
【００７０】
また、生体情報として指静脈情報を使用したが、これに限らず指や手に関する他の生体情報を登録する際に、本実施の形態を使用してもよい。この場合は、指紋、手のひら静脈、掌紋、または筆跡などを生体情報として登録する構成にし、関連情報の取得方法としては、上述した実施形態を採用することで実現できる。
【００７１】
また、生体情報として指や手以外のものを採用してもよい。例えば音声情報を使用する場合であれば、発声している利用者の口や喉の画像と音声とを同時に取得して、発声する利用者の口の動きやのどの動きを認識し、声が本人から発せられているか否かを判定すればよい。また、複数のマイクロフォンを使用したマイクロフォンアレーを用いて、発声されている方向を認識し、その方向が端末を操作している本人の口の位置と一致するか否かにより判定してもよい。この場合でも、生体情報としての音声と本人情報としての顔面画像との関連性を判定して、不正登録を防止することができる。
【００７２】
また、本人確認の方法として、顔面認証以外の認証を採用してもよい。例えば、声紋認証により本人認証を行うことができ、この場合も、音声を発する口から生体登録される指部Ｆｉまでの連続性の確認を行うことができる。従って、登録される生体情報が本人のものであることを確認できる。
【００７３】
この発明の構成と、上述の実施形態との対応において、
この発明の生体情報登録装置は、実施形態の登録端末１０及びＡＴＭ７０に対応し、
以下同様に、
生体情報登録手段は、カード機構１４に対応し、
生体情報取得手段は、指静脈リーダ１６、指紋リーダ、手のひら静脈リーダ、掌紋リーダ、筆跡リーダ、網膜リーダ、虹彩リーダ、または顔面画像リーダに対応し、
関連情報取得手段および撮影手段は、顔面撮影カメラ１７、手元撮影カメラ１８、全体撮影カメラ１９、または人物撮影カメラ２０、もしくはこれらのカメラの組み合わせに対応し、
関連情報および撮影画像は、上半身撮影画像３１、手元撮影画像３３、全体撮影画像３５、全身撮影画像４１、または連結画像４０に対応し、
適否判定手段および不自然判定手段は、ステップｎ１５，ｎ１７，ｎ１８に対応し、
生体部位は、指部Ｆｉ、手のひら、手、網膜、虹彩、または顔面に対応し、
生体情報は、指静脈情報、指紋情報、手のひら静脈情報、掌紋情報、筆跡情報、網膜情報、虹彩情報、または顔面画像情報に対応し、
不自然な要素は、腕部Ａの輪郭の連結ズレまたは／および連結部周囲Ｘの上下の色合いに対応するも、
これらに限定されるものではなく、この発明は、多くの実施の形態を得ることができる。
【図面の簡単な説明】
【００７４】
【図１】登録端末の斜視図。
【図２】生体登録管理システムのブロック図。
【図３】上半身撮影画像と手元撮影画像の画像イメージ図。
【図４】全体撮影画像と全体背景画像の画像イメージ図。
【図５】登録端末の主制御部の動作を示すフローチャート。
【図６】登録端末の主制御部の動作を示すフローチャート。
【図７】連結画像の画像イメージ図。
【図８】全身撮影画像の画像イメージ図。
【図９】ＡＴＭの斜視図。
【符号の説明】
【００７５】
１０…登録端末
１４…カード機構
１６…指静脈リーダ
１７…顔面撮影カメラ
１８…手元撮影カメラ
１９…全体撮影カメラ
２０…人物撮影カメラ
３１…上半身撮影画像
３３…手元撮影画像
３５…全体撮影画像
４１…全身撮影画像
Ｆｉ…指部
【図１】
2006309562.tif 000003
【図２】
2006309562.tif 000004
【図３】
2006309562.tif 000005
【図４】
2006309562.tif 000006
【図５】
2006309562.tif 000007
【図６】
2006309562.tif 000008
【図７】
2006309562.tif 000009
【図８】
2006309562.tif 000010
【図９】
2006309562.tif 000011